(57)【要約】【課題】安価かつ運搬が容易で掘削した土砂を有効利用することのできる植生用排水溝ブロックおよび植生用土嚢袋を提供する。【解決手段】植生用排水溝ブロックはダンボール、木材、生分解性プラスチックまたは金網のいずれかを用いて形成され、第１部材１１（２１）と第２部材１２（２２）とからなる。第１部材（１１（２１）および第２部材１２（２２）はともに中空部１３（２３）を有し、第２部材１２（２２）の中空部に第１部材１１（２１）を挿入して小型化した状態で運搬することが可能である。排水路の敷設現場で掘削した土砂は、植物の種子とともに中空部１３（２３）に投入する。土砂がこぼれ出ないように、排水溝ブロックと同様Ｕ字型またはＶ字型の土嚢袋１４を被せて口を閉じ、植物を繁茂させて安定した排水溝とする。【選択図】  図１
2007107223.tif 000002
【特許請求の範囲】
【請求項１】
ダンボール、木材、生分解性プラスチックまたは金網のいずれかより作成される植生用排水溝ブロックであって、
中空部を備えたＵ字型またはＶ字型の形状を有する第１部材と、
中空部を備え、前記第１部材のＵ字型またはＶ字型の外周に沿った形状を有するとともに、前記中空部に前記第１部材を収納可能な第２部材とからなることを特徴とする植生用排水溝ブロック。
【請求項２】
請求項１に記載の植生用排水溝ブロックであって、
前記第１部材および前記第２部材の中空部には土砂および植物の種子が投入され、植物を育成可能であることを特徴とする植生用排水溝ブロック。
【請求項３】
開口部に封入用の紐または接着布を備え、Ｕ字型またはＶ字型の形状を有することを特徴とする植生用土嚢袋。
【請求項４】
請求項２に記載の植生用土嚢袋であって、
請求項１に記載の植生用排水溝ブロックに被せて土砂の散乱を防止することを特徴とする植生用土嚢袋。
【請求項５】
請求項２に記載の植生用土嚢袋であって、
内部に土砂および植物の種子が投入され、植物を育成可能であることを特徴とする植生用土嚢袋。
【発明の詳細な説明】
【技術分野】
【０００１】
本発明は植生用排水溝ブロックおよび植生用土嚢袋に係り、より詳細には、構造が簡易且つ運搬が容易であり、掘削した土砂を有効利用することのできるＵ字型溝およびＶ字型溝と土嚢袋とに関する。
【背景技術】
【０００２】
送電用鉄塔等の設置場所においては、地表を掘削して排水路を設け、雨水等が溜まるのを防止している。しかし、例えば鉄塔の設置場所の場合、周囲の地表は鉄塔から垂れる水滴などの影響により変形しやすいため、排水路が崩れたり、土砂によりせき止められたりして、その機能を果たせなくなってしまう。
【０００３】
こうした問題に鑑み、排水路を設置する際には、例えば特許文献１に記載されているＵ字型溝のように主にコンクリート製の溝が用いられる。コンクリート製の溝は、耐久性が高く変形に強い。したがって、確実に水の通り道を確保することができる。
【特許文献１】登録実用新案第３０９３０８９号公報
【特許文献２】特開平８−４０１３号公報
【特許文献３】特開２００１−３２２８１号公報
【発明の開示】
【発明が解決しようとする課題】
【０００４】
ところが、コンクリート製の溝は重いため、山中の鉄塔敷地への運搬や設置作業に困難が伴う。また、固定資産に計上されるため、高コストの要因となってしまう。したがって、例えば工事現場で工事期間中に限って設けられる排水路など、一時的にしか必要とされない排水路に固定資産であるコンクリート製の溝を用いることは不経済である。さらに、こうした排水路には高い耐久性も要求されない。
このような問題に鑑み、発明者は、運搬や設置作業の困難性を解消するとともに、安価に製作することが可能な排水路の構成材料について検討した。その結果、土砂災害時などに用いられる土嚢、特に特許文献２および特許文献３に記載の植生用土嚢に着想を得て、本発明の植生用排水溝ブロックおよび植生用土嚢袋を開発するに至った。
【課題を解決するための手段】
【０００５】
本発明が提供するのは、ダンボール、木材、生分解性プラスチックまたは金網のいずれかより作成される植生用排水溝ブロックである。この植生用排水溝ブロックは、中空部を備えたＵ字型またはＶ字型の形状を有する第１部材と、中空部を備え、第１部材のＵ字型またはＶ字型の外周に沿った形状を有するとともに、第１部材を中空部に収納可能な第２部材とからなる。この植生用排水溝ブロックにおいて、第１部材および第２部材の中空部には土砂および植物の種子が投入され、植物を育成可能である。
【０００６】
また、本発明が提供するのは、開口部に封入用の紐または接着布を備え、Ｕ字型またはＶ字型の形状を有する植生用土嚢袋である。この土嚢袋は、本発明の植生用排水溝ブロックに被せて土砂の散乱を防止することができる。さらに、この土嚢袋は、内部に土砂および植物の種子が投入され、植物を育成可能である。
【発明の効果】
【０００７】
本発明の植生用排水溝ブロックおよび植生用土嚢袋は、軽量であるため、運搬および設置作業を容易に行うことができる。また、コンクリート製の溝のように固定資産として計上されることもなく、経済的である。さらに、排水路敷設のために掘削した土砂を有効利用できるという利点もある。
【発明を実施するための最良の形態】
【０００８】
以下、図面を参照して本発明の実施例を説明する。
図１に示すのは本発明によるＵ字型溝１０であり、（ａ）は使用時、（ｂ）は運搬時の状態をそれぞれ示している。このＵ字型溝１０は、後に植物を繁茂させることを考慮して、時間の経過につれ分解されて土壌に還る材料や、周囲の土とＵ字型溝１０の中空部との間を完全には遮断しない材料を用いて作製されるのが望ましい。こうした材料として、ダンボール、木材、生分解性プラスチックまたは金網が考えられる。材料の強度は、排水路として用いる際に単に地面を掘削しただけの状態よりも土砂を崩れ難くする程度であればよい。
【０００９】
図１（ａ）に示すように、本実施例のＵ字型溝１０は２つの部材１１および１２からなる。第１部材１１および第２部材１２はともに中空部１３を有し、第２部材１２のＵ字型は第１部材１１のＵ字型の外周に沿った大きさおよび形状に作製される。したがって、運搬時には第１部材１１を第２部材１２の中空部に挿入し、図１（ｂ）に示すように使用時の半分の大きさに小型化することができる。このとき、第１部材１１と第２部材１２とがぴったりと重なるよう、２つの部材１１および１２は同一の奥行きを有するとよい。
【００１０】
Ｕ字型溝１０を用いて排水路を設置する際には、まず敷設場所の地面を掘削する。このとき、掘削する溝の幅および深さはＵ字型溝１０に合わせておく。掘削した土砂は、運搬時と同様縮めた状態のＵ字型溝１０の中空部に投入する。すなわち、重ねられた部材１１と部材１２とのうち、内側にある部材１１の中空部１３に締め固めながら土砂を詰め、合間に植物の種子を混ぜ込む。土砂はこぼれ出ないように締め固めながら詰めるのが望ましいが、種子の発芽および生長を妨げないよう加減する必要がある。
【００１１】
部材１１の中空部１３に土砂を詰め終わったら、外側にある部材１２を引き出し、図１（ａ）のように使用状態にした上で、同様に中空部１３に土砂および種子を投入する。
部材１１および部材１２への土砂の投入が完了したら、図２に示すように、Ｕ字型溝１０の形状に適合するＵ字型の土嚢袋１４をかぶせる。ここで、土嚢袋１４は詰めた土砂が散乱するのを防ぐためのものであり、開口部に紐または接着布（図示しない）を備えている。土嚢袋１４の作製材料は特に指定しないが、中に土砂を詰めても破れない強度を有する素材であるのが望ましい。また、図２において土嚢袋は網状の材料を用いて作製されているが、その場合、土砂がこぼれ出ないように細かい網目を有するものとする。
【００１２】
土嚢袋１４の口を閉めたら、掘削した溝に土嚢袋１４を被せたＵ字型溝１０を設置する。Ｕ字型溝１０は排水溝の長さにあわせて複数個用意し、上述の作業を適宜繰り返すことにより、排水溝の全長にわたってＵ字型溝１０が並置されるようにする。また、排水溝の端部等では、部材１１と部材１２との重なり部分を増減することにより、Ｕ字型溝１０の長さを調節することが可能である。
【００１３】
軽量のＵ字型溝１０は、中空部１３に土砂を投入されることにより重量が加わって安定する。また、土砂とともに混入した種子がやがて発芽し生長すると、植物がＵ字型溝１０の外部に根を伸ばすので、腐食等によりＵ字型溝１０の強度が低下しても排水路は安定した形状を保つことができる。植物が生長するまでの間は、Ｕ字型溝１０を安定させるために側面および底面に杭を打ち込んで、周囲の土砂に固定してもよい。
【００１４】
本発明の別の実施例においては、排水溝ブロックはＶ字型であってもよい。Ｖ字型溝の例を図３に示す。Ｕ字型溝１０と同様、Ｖ字型溝２０も第１部材２１と第２部材２２とを重ねることにより小型化した状態での運搬が可能であり、使用時には各部材の中空部２３に土砂を詰めて安定させる。なお、Ｖ字型溝２０に被せる土嚢袋は、Ｖ字型溝２０に適合する形状に作製される。
【００１５】
本発明のさらに別の実施例においては、Ｕ字型溝１０およびＶ字型溝２０は土嚢袋１４を被せることなく使用できる。また、Ｕ字型溝１０やＶ字型溝２０を用いずに、Ｕ字型・Ｖ字型の土嚢袋１４に直接土砂を詰めて使用することも可能である。
【図面の簡単な説明】
【００１６】
【図１】（ａ）は本発明の一実施例による植生用排水溝ブロックの使用時の状態を示す斜視図、（ｂ）は収納時の状態を示す斜視図。
【図２】本発明の一実施例による植生用排水溝ブロックに土嚢袋を被せた状態を示す図。
【図３】本発明の別の実施例による植生用排水溝ブロックの使用時の状態を示す斜視図。
【符号の説明】
【００１７】
１０  Ｕ字型溝
１１  第１部材
１２  第２部材
１３  中空部
１４  土嚢袋
２０  Ｖ字型溝
２１  第１部材
２２  第２部材
２３  中空部
【図１】
2007107223.tif 000003
【図２】
2007107223.tif 000004
【図３】
2007107223.tif 000005